Podtech/llm-jp-corpus-v4-ja_patent huggingface dataset:
【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】 第１位置から第２位置へ予め定めた方向に搬送される欠陥のあるバッグを検出するためのプローブ構体において、前記構体が、ループを形成する被動ベルト部材で、前記ループが前記第１および第２位置間の前記方向に略平行に延びるような長さを有しており、その長さが前記第１および第２位置間で前記バッグと略一致して動くようになっており、前記ベルト部材上に支持される複数のプローブであって、各プローブがそれによって前記ベルト部材に対して配置されるようにバッグの１つに係合するために前記ベルト部材に可動に取り付けられるバッグ係合部分を含み、前記プローブが、各バッグが複数のプローブ部材によって係合されるように間隔が置かれており、前記プローブ部材の移動を検出しかつ各バッグに関してプロファイルデータが欠陥のあるバッグを識別するのを助けるために発生され得るように移動を示している信号を発生するための検出器を含んでいることを特徴とするプローブ構体。
【請求項２】 前記バッグ係合部分がそれに対して略垂直な運動のために前記ベルトに取り付けられることを特徴とする請求項１に記載のプローブ構体。
【請求項３】 前記プローブが単一の列において配置されることを特徴とする請求項１に記載のプローブ構体。
【請求項４】 前記プローブが複数の略平行な同一の広がりを持つ列において配置されることを特徴とする請求項１に記載のプローブ構体。
【請求項５】 前記検出器が第１検出器でありそして前記構体が第２検出器を含み、この第２検出器が前記ベル部材の運動方向において前記第１検出器の下流に間隔が置かれていることを特徴とする請求項１に記載のプローブ構体。
【請求項６】 前記各プローブが前記ベルト部材に取着された取り付け部材を含み、前記バッグ係合部分がそのそれぞれの取り付け部材に可動に取り付けられていることを特徴とする請求項１に記載のプローブ構体。
【請求項７】 前記プローブ構体が、さらに、前記プローブに係合して前記バッグおよびコンベヤに向かって前記プローブ係合部分を押圧するためのプローブ追従部分を含んでいることを特徴とする請求項１に記載のプローブ構体。
【請求項８】 前記追従部分がローラであることを特徴とする請求項７に記載のプローブ構体。
【請求項９】 請求項１のプローブ構体と前記バッグを搬送するコンベヤとの組み合わせであって、前記長さが前記第１および第２位置間の前記コンベヤに対して略平行に延びかつそれに隣接しておりそして前記第１および第２位置との間で前記コンベヤと略一致して動くことを特徴とする請求項１に記載のプローブ構体。
【請求項１０】 漏れを有するバッグを検出するためのバッグ漏れ検出方法において、第１位置から第２位置へ予め定めた方向に前記バッグを動かし、各バッグを複数のプローブと係合し、前記プローブの移動が前記バッグによって決定され、前記プローブが前記バッグと接触して押圧されており、前記プローブを前記バッグと係合するとき前記バッグと一致して動かさせ、前記プローブの移動を示す信号を設け、バッグ形状の変化を検出しかつそれゆえバッグが漏れを有するかどうかを判断するために異なる時間において各バッグと関連付けられた信号を電気的に比較することを特徴とするバッグの漏れ検出方法。
【請求項１１】 前記プローブが、これらが前記バッグと接触して動いているとき、前記バッグの運動方向に対して略垂直の方向に動かされることを特徴とする請求項１０に記載のバッグの漏れ検出方法。
【手続補正書】
【提出日】平成19年11月15日(2007.11.15)
【手続補正１】
【補正対象書類名】明細書
【補正対象項目名】００２６
【補正方法】変更
【補正の内容】
【００２６】
該方法を、触媒の化学失活なしでも行うことができる。その目的のために、所望の転化率に達した直後に、副生成物の形成を伴い得るさらなる反応を妨げるために、活性触媒が反応混合物から分離される（変法Ｂ）。
触媒が分離されるのと同時に、またはその後に、未反応残留モノマーを、変法Ｂに従い処理される反応混合物から分離することができる。
【手続補正２】
【補正対象書類名】明細書
【補正対象項目名】００２７
【補正方法】変更
【補正の内容】
【００２７】
本発明の方法において未反応モノマー、触媒および／または他の望ましくない成分を、あらゆる既知の分離技術、例えば蒸留、抽出または結晶化／濾過を使用して、反応混合物から分離することができる。好ましいものは、蒸留、適切な場合に薄膜蒸留の特有の実施態様での蒸留である。当然、これらの技術の２つまたはそれ以上の組合せを用いることもできる。
変法Ｂに従い反応を停止させるために、蒸留により触媒を除去することが好ましく、その場合、適切ならば同時に未反応モノマーを除去することができる。
【手続補正３】
【補正対象書類名】明細書
【補正対象項目名】００２９
【補正方法】変更
【補正の内容】
【００２９】
本発明の方法の実施にとって、該方法が全体または部分的にバッチ式または連続式に行われるかどうかは関係が無い。
さらに本発明の方法において、ポリイソシアネート化学において通例の安定剤および添加剤を、あらゆる所望の時点で添加することができる。その例は、酸化防止剤、例えば立体障害フェノール（２,６-ジ-ｔ-ブチルフェノール、４-メチル-２,６-ジ-ｔ-ブチルフェノール）、光安定剤、例えばＨＡＬＳアミン、トリアゾールなど、弱酸、またはＮＣＯ-ＯＨ反応のための触媒、例えばジブチルスズジラウレート（ＤＢＴＬ）である。
【手続補正４】
【補正対象書類名】明細書
【補正対象項目名】００３０
【補正方法】変更
【補正の内容】
【００３０】
さらに、例えば逆開裂の安定性を向上させるため、並びに生成物の貯蔵中に副生成物の形成、着色および／または遊離ＮＣＯ基のさらなる反応への傾向を減少させるために、変法Ａにおいて使用する触媒毒の少量を、変法Ｂに従い処理される生成物に添加することが実際的であり得る。
【手続補正５】
【補正対象書類名】明細書
【補正対象項目名】００４１
【補正方法】変更
【補正の内容】
【００４１】
全ての割合（％）は、他の言及がない限り、質量％であると理解されるべきである。
本発明の実施例および比較例で記載した樹脂のＮＣＯ含有量の測定を、DIN 53 185 に従う滴定により行った。
動的粘度を、２３℃で、Haake（ドイツ、カールスルーエ）からの VT 550 粘度計を使用して測定した。測定を、本発明に従い製造した記載ポリイソシアネートのレオロジーおよび比較生成物のものが、理想ニュートン流体のものに相当することを確保するために、異なる剪断速度で行った。従って剪断速度を述べる必要はない。
【手続補正６】
【補正対象書類名】明細書
【補正対象項目名】００４２
【補正方法】変更
【補正の内容】
【００４２】
表示「モル％」または「異なる構造種の相互に対するモル比」は、ＮＭＲ分光法測定に基づく。それは、各場合に他の明記がない限り、変性反応（オリゴマー化）により、変性されるイソシアネートのその前に遊離していたＮＣＯ基から形成される構造種の合計に関する。
13Ｃ-ＮＭＲ測定を、Bruker（ドイツ、カールスルーエ）からの装置 DPX 400、AVC 400 または DRX 700 で、乾燥ＣＤＣl3中の約５０％試料またはＤ6-ＤＭＳＯ中の約８０％試料に対して行った（13Ｃ-ＮＭＲ：１００または１７６ＭＨｚ、緩和時間：４秒、少なくとも２０００回のスキャン）。ｐｐｍスケールのために選択した基準として、対応する溶媒中の少量のトリメチルシラン（δ＝０ｐｐｍ）または溶媒自体（δ＝７７.０ｐｐｍ（ＣＤＣｌ3）またはδ＝４３.５ｐｐｍ（Ｄ6-ＤＭＳＯ））を用いた。
【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  一体的に形成された複数の第１微小屈折面と、該複数の第１微小屈折面よりも光の射出側に設けられて前記複数の第１微小屈折面と光学的に対応するように一体的に形成された複数の第２微小屈折面とを備えたオプティカルインテグレータにおいて、
前記第１微小屈折面の屈折力φａと前記第２微小屈折面の屈折力φｂとの屈折力比φａ／φｂをγとし、前記オプティカルインテグレータの射出側の開口数をＮＡとし、前記第２微小屈折面の光入射側および光射出側における媒体の屈折率の差をΔｎとするとき、パラメータβが、
｜β｜＜０．２
ただし、β＝（γ−１）3・ＮＡ2／Δｎ2
の条件を満足することを特徴とするオプティカルインテグレータ。
【請求項２】  前記複数の第１微小屈折面と前記複数の第２微小屈折面とは同一の光学部材に形成されていることを特徴とする請求項１に記載のオプティカルインテグレータ。
【請求項３】  前記複数の第１微小屈折面を有する第１光学部材と、該第１光学部材の光射出側に配置されて前記複数の第２微小屈折面を有する第２光学部材とを備えていることを特徴とする請求項１に記載のオプティカルインテグレータ。
【請求項４】  前記複数の第２微小屈折面は非球面を備えていることを特徴とする請求項１乃至３のいずれか１項に記載のオプティカルインテグレータ。
【請求項５】  前記第１光学部材を形成する光学材料の屈折率よりも前記第２光学部材を形成する光学材料の屈折率の方が大きく設定されていることを特徴とする請求項１乃至４のいずれか１項に記載のオプティカルインテグレータ。
【請求項６】  前記第１光学部材を形成する光学材料の屈折率をｎａとし、前記第２光学部材を形成する光学材料の屈折率をｎｂとするとき、
０．０５≦ｎｂ−ｎａ
の条件を満足することを特徴とする請求項５に記載のオプティカルインテグレータ。
【請求項７】  ３００ｎｍ以下の波長を有する光に対して用いられ、
前記第１光学部材を形成する光学材料は、石英ガラスまたは蛍石を含み、
前記第２光学部材を形成する光学材料は、酸化マグネシウム、ルビー、サファイア、結晶水晶、および石英ガラスのうちのいずれか１つの材料を含むことを特徴とする請求項５または６に記載のオプティカルインテグレータ。
【請求項８】  光の入射側から順に、一体的に形成された複数の第１微小屈折面を有する第１光学部材と、前記複数の第１微小屈折面と光学的に対応するように一体的に形成された複数の第２微小屈折面を有する第２光学部材とを備えたオプティカルインテグレータにおいて、
前記第１光学部材を形成する光学材料の屈折率よりも前記第２光学部材を形成する光学材料の屈折率の方が大きく設定されていることを特徴とするオプティカルインテグレータ。
【請求項９】  前記第１光学部材を形成する光学材料の屈折率をｎａとし、前記第２光学部材を形成する光学材料の屈折率をｎｂとするとき、
０．０５≦ｎｂ−ｎａ
の条件を満足することを特徴とする請求項８に記載のオプティカルインテグレータ。
【請求項１０】  ３００ｎｍ以下の波長を有する光に対して用いられ、
前記第１光学部材を形成する光学材料は、石英ガラスまたは蛍石を含み、
前記第２光学部材を形成する光学材料は、酸化マグネシウム、ルビー、サファイア、結晶水晶、および石英ガラスのうちのいずれか１つの材料を含むことを特徴とする請求項８または９に記載のオプティカルインテグレータ。
【請求項１１】  各微小屈折面は、球面形状または非球面形状に形成されていることを特徴とする請求項１乃至１０のいずれか１項に記載のオプティカルインテグレータ。
【請求項１２】  被照射面を照明する照明光学装置において、
請求項１乃至１１のいずれか１項に記載のオプティカルインテグレータを備えていることを特徴とする照明光学装置。
【請求項１３】  前記オプティカルインテグレータは、照明領域において所定形状の光強度分布を形成することを特徴とする請求項１２に記載の照明光学装置。
【請求項１４】  請求項１２または１３に記載の照明光学装置と、前記被照射面に配置されたマスクのパターンを感光性基板に投影露光するための投影光学系とを備えていることを特徴とする露光装置。
【請求項１５】  走査方向に沿って前記マスクおよび前記感光性基板を前記投影光学系に対して相対移動させることにより、前記マスクのパターンを前記感光性基板に投影露光し、
前記走査方向に関する前記パタメータβの絶対値よりも、前記走査方向と光学的にほぼ直交する方向に関する前記パタメータβの絶対値の方が小さく設定されていることを特徴とする請求項１４に記載の露光装置。
【請求項１６】  請求項１２または１３に記載の照明光学装置を介してマスクを照明し、照明された前記マスクに形成されたパターンの像を感光性基板上に投影露光することを特徴とする露光方法。
【請求項１７】  オプティカルインテグレータを含む照明光学系と、マスクのパターン像を感光性基板上に形成するための投影光学系とを備え、走査方向に沿って前記マスクおよび前記感光性基板を前記投影光学系に対して相対移動させつつ、前記マスクのパターンを前記感光性基板に投影露光する露光装置において、
前記オプティカルインテグレータは、一体的に形成された複数の第１微小屈折面と、該複数の第１微小屈折面よりも光の射出側に設けられて前記複数の第１微小屈折面と光学的に対応するように一体的に形成された複数の第２微小屈折面とを備え、
前記走査方向と光学的にほぼ直交する非走査方向に関する前記第１微小屈折面の屈折力φａと前記非走査方向に関する前記第２微小屈折面の屈折力φｂとの屈折力比φａ／φｂをγとし、前記オプティカルインテグレータの前記非走査方向に関する射出側の開口数をＮＡとし、前記第２微小屈折面の光入射側および光射出側における媒体の屈折率の差をΔｎとするとき、パラメータβが、
｜β｜＜０．２
ただし、β＝（γ−１）3・ＮＡ2／Δｎ2
の条件を満足することを特徴とする露光装置。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
１０個の酸素原子を有する環（１０ＭＲ）によって規定された開口部を有するチャネルを備えた少なくとも１種のゼオライトと、１２個の酸素原子を有する環（１２ＭＲ）によって規定された開口部を有する少なくともチャネルまたはサイドポケットを備えた少なくとも１種のゼオライトと、第ＩＩＩＡ族および第ＶＩＩＢ族金属によって構成された群から選択された少なくとも１種の金属と、少なくとも１種の細孔性無機マトリクスとを含み、第ＶＩＩＩ族金属を全く含まない触媒。
【請求項２】
１０個の酸素原子の環によって規定された開口部を有するチャネルを備えたゼオライトは、ＺＳＭ−５、ＩＭ−５およびＺＳＭ−２２ゼオライトから選択される、請求項１に記載の触媒。
【請求項３】
１２個の酸素原子の環によって規定された開口部を有する少なくともチャネルまたはサイドポケットを備えたゼオライトは、ベータ、Ｙ、モルデナイト、ＭＵ−８７、ＥＵ−１およびボジサイト（boggisite）ゼオライトから選択される、請求項１または２に記載の触媒。
【請求項４】
第ＩＶＡ族および第ＶＩＢ族金属によって構成された群から選択された少なくとも１種の金属を含む、請求項１〜３のいずれか１つに記載の触媒。
【請求項５】
第ＶＩＩＢ族金属はレニウムである、請求項１〜４のいずれか１つに記載の触媒。
【請求項６】
第ＩＩＩＡ族金属はガリウムである、請求項１〜５のいずれか１つに記載の触媒。
【請求項７】
第ＶＩＢ族金属はモリブデンである、請求項１〜６のいずれか１つに記載の触媒。
【請求項８】
硫黄を含む、請求項１〜７のいずれか１つに記載の触媒。
【請求項９】
アルキル芳香族炭化水素原料油をトランスアルキル化する方法における、請求項１〜８のいずれか１つに記載の触媒の使用方法。
【請求項１０】
ベンゼンまたはトルエンと、１分子あたり少なくとも９個の炭素原子を含むアルキル芳香族炭化水素類とをトランスアルキル化する方法における、請求項９に記載の使用方法。
【請求項１１】
少なくとも１０個の炭素原子を含む芳香族を少なくとも５重量％含む芳香族原料油の処理のための、請求項１０に記載の使用方法。
【請求項１２】
２５０〜６５０℃の温度、１〜６ＭＰａの圧力、０．１〜１０ｈ−１の１時間あたり、かつ、触媒のキログラムあたりの導入された原料油のキログラムで表現される供給空間速度、２〜２０の炭化水素類に対する水素のモル比での、請求項９〜１１のいずれか１つに記載の使用方法。
【手続補正２】
【補正対象書類名】明細書
【補正対象項目名】０００９
【補正方法】変更
【補正の内容】
【０００９】
驚くべきことに、１０個の酸素原子を有する環（１０ＭＲ）によって規定された開口部を有するチャネルを備えた少なくとも１種のゼオライトと、１２個の酸素原子を有する環（１２ＭＲ）によって規定された開口部を有する少なくともチャネルまたはサイドポケットを備えた少なくとも１種のゼオライトと、第ＩＩＩＡ族および第ＶＩＩＢ族金属によって構成された群から選択された少なくとも１種の金属とを組み合わせて含む複合触媒によって、トルエンまたはベンゼン等のアルキル芳香族炭化水素類の不均化および／またはトルエン、ベンゼンおよびトリメチルベンゼン類等のアルキル芳香族炭化水素類または９より多い炭素原子を含むアルキル芳香族（Ｃ９＋）のトランスアルキル化反応において、特に、活性、安定性および選択性に関して触媒性能が向上することが発見された。本発明の触媒は、１０個以上の炭素原子を含む芳香族分子を高割合（５重量％超）で含むＣ＋９芳香族原料油の処理に非常に強力であり、これは、概して１より多い炭素原子を含むアルキル基（エチル、プロピル等）を有する大きい分子、例えば、ジメチルエチルベンゼン類またはジエチルベンゼン類がキシレン類に品質向上され得ることを意味する。ベンゼンまたはトルエンと、アルキル芳香族化合物とをトランスアルキル化する方法に用いられる場合、本発明の触媒は、ベンゼンおよびキシレンの収率を相当向上し得、この生成物は、周知の従来技術の触媒によって得られる収率に比較して高付加価値を有する。
【手続補正３】
【補正対象書類名】明細書
【補正対象項目名】００１１
【補正方法】変更
【補正の内容】
【００１１】
本発明は、１０個の酸素原子を有する環（１０ＭＲ）によって規定された開口部を有するチャネルを備えた少なくとも１種のゼオライトと、１２個の酸素原子を有する環（１２ＭＲ）によって規定された開口部を有する少なくともチャネルまたはサイドポケットを備えた少なくとも１種のゼオライトと、第ＩＩＩＡ族および第ＶＩＩＢ族金属によって構成された群から選択された少なくとも１種の金属と、少なくとも１種の細孔性無機マトリクスとを含む触媒に関する。本発明の触媒は、第ＶＩＩＩ族金属を全く含まない。
【手続補正４】
【補正対象書類名】明細書
【補正対象項目名】００１９
【補正方法】変更
【補正の内容】
【００１９】
前記触媒はまた、第ＩＩＩＡ族および第ＶＩＩＢ金属によって構成された群から選択された少なくとも１種の金属を、好ましくは、総触媒重量に対して０．０１〜５重量％量で含む。レニウムは好ましい第ＶＩＩＢ族金属である。ガリウムは好ましい第ＩＩＩＡ族金属である。本発明の触媒は、第ＩＶＡ族および第ＶＩＢ族金属によって構成された群から選択された少なくとも１種の金属を、好ましくは、総触媒重量に対して０．０１〜５重量％、より好ましくは、０．５〜３重量％の量でさらに含んでもよい。スズは好ましい第ＩＶＡ族金属である。モリブデンは好ましい第ＶＩＢ族金属である。本発明の触媒はいかなる第ＶＩＩＩ族金属も含まない。
【手続補正５】
【補正対象書類名】明細書
【補正対象項目名】００２０
【補正方法】変更
【補正の内容】
【００２０】
細孔性無機マトリクスは、総触媒重量に対して５〜９５重量％、好ましくは、１０〜９０重量％、より好ましくは、１５〜８５重量％、より一層好ましくは、２０〜８０重量％の量で存在し、概して、粘土（例えば、天然粘土（カオリンまたはベントナイト等））、マグネシア、アルミナ、シリカ、酸化チタン、酸化ホウ素、ジルコニア、リン酸アルミニウム、リン酸チタン、リン酸ジルコニウム、シリカ−アルミナおよび石炭によって形成された群からの要素、好ましくは、アルミナおよび粘土によって形成された群からの要素から、より好ましくは、アルミナから選択される。
【手続補正書】
【提出日】平成20年5月16日(2008.5.16)
【手続補正１】
【補正対象書類名】特許請求の範囲
【補正対象項目名】請求項１
【補正方法】変更
【補正の内容】
【請求項１】
血液の入口と出口を有する可撓性容器と該容器内部を入口側と出口側とに隔てるように配置したシート状の白血球除去フィルター材を含む白血球除去フィルターであって、該白血球除去フィルターの入口側容器材の（１）可撓性容器材とフィルター材とを溶着した部分（溶着部分（ａ））、（２）溶着部分（ａ）よりも更に外周の、入口側可撓性容器材と出口側可撓性容器材とを溶着した部分、または、入口側可撓性容器材、出口側可撓性容器材と白血球除去フィルター材を溶着した可撓性フレームとを溶着した部分（溶着部分（ｂ））、（３）溶着部分（ｂ）よりもさらに外側の部分（溶着部分（ｃ））、のいずれかの部分まで到達する弾性体である膨らみ防止帯を有することを特徴とする白血球除去フィルター。
【手続補正２】
【補正対象書類名】明細書
【補正対象項目名】００１４
【補正方法】変更
【補正の内容】
【００１４】
本発明は、血液の入口と出口を有する可撓性容器と該容器内部を入口側と出口側とに隔てるように配置したシート状の白血球除去フィルター材を含む白血球除去フィルターであって、該白血球除去フィルターの入口側容器材の（１）可撓性容器材とフィルター材とを溶着した部分（溶着部分（ａ））、（２）溶着部分（ａ）よりも更に外周の、入口側可撓性容器材と出口側可撓性容器材とを溶着した部分、または、入口側可撓性容器材、出口側可撓性容器材と白血球除去フィルター材を溶着した可撓性フレームとを溶着した部分（溶着部分（ｂ））、（３）溶着部分（ｂ）よりもさらに外側の部分（溶着部分（ｃ））、のいずれかの部分まで到達する弾性体である膨らみ防止帯を有することを特徴とする白血球除去フィルターに関する。
本発明の白血球除去フィルターの膨らみ防止帯において、入口側容器材と膨らみ防止帯とを合わせた膨らみ防止率が、応力１．７Ｎ／ｍｍ以下において４０Ｎ／ｍｍ以上２５０Ｎ／ｍｍ以下であることが好ましく、さらに、該膨らみ防止帯は、幅が３ｍｍ以上であることが好ましい。
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
遊技を制御する制御基板と、該制御基板を収容する基板ボックスと、該基板ボックスが取り付けられる取付部とを備えた遊技機において、
前記基板ボックスの外面に設けられ凸部を有する被検出手段と、
前記取付部に前記基板ボックスが装着された状態で前記被検出手段と対向する位置に設けられ、その所定箇所に検出部が設けられる検出手段とを備え、
前記被検出手段における凸部が前記検出手段における検出部の位置と合致したことに応じて、前記基板ボックスが前記取付部に装着される対象として適正なものであることを認識できるようにしたことを特徴とする遊技機。
【請求項２】
請求項１に記載の遊技機において、
前記被検出手段は複数の凸部を備え、
該複数の凸部はそれぞれ基端部が破断し易い形状とされている
ことを特徴とする遊技機。
【手続補正２】
【補正対象書類名】明細書
【補正対象項目名】０００６
【補正方法】変更
【補正の内容】
【０００６】
本発明は、このような事情に鑑みてなされたものであって、制御基板の取り付け間違いを防止することができる遊技機を提供することを主たる目的とする。
【手続補正３】
【補正対象書類名】明細書
【補正対象項目名】０００８
【補正方法】変更
【補正の内容】
【０００８】
すなわち、請求項１に記載の発明は、遊技を制御する制御基板と、該制御基板を収容する基板ボックスと、該基板ボックスが取り付けられる取付部とを備えた遊技機において、
前記基板ボックスの外面に設けられ凸部を有する被検出手段と、
前記取付部に前記基板ボックスが装着された状態で前記被検出手段と対向する位置に設けられ、その所定箇所に検出部が設けられる検出手段とを備え、
前記被検出手段における凸部が前記検出手段における検出部の位置と合致したことに応じて、前記基板ボックスが前記取付部に装着される対象として適正なものであることを認識できるようにしたことを特徴とするものである。
また、請求項２に記載の発明は、請求項１に記載の遊技機において、前記被検出手段は複数の凸部を備え、該複数の凸部はそれぞれ基端部が破断し易い形状とされていることを特徴とするものである。
【手続補正４】
【補正対象書類名】明細書
【補正対象項目名】０００９
【補正方法】変更
【補正の内容】
【０００９】
［作用・効果］  請求項１又は請求項２に記載の発明によれば、制御基板の取り付け間違いを防止することができる。
【手続補正書】
【提出日】平成19年11月27日(2007.11.27)
【手続補正１】
【補正対象書類名】特許請求の範囲
【補正対象項目名】請求項１７
【補正方法】変更
【補正の内容】
【請求項１７】
少なくとも一部が、請求項８から１６までのいずれか１項に記載の機械を利用することにより準備された活性炭繊維からなるフィラメント又は粒子から構成されている、タバコ製品用フィルタ。
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
生体構造に対応する診断画像を表すデータセットを取得することと、前記データセット内における少なくとも一つの生体構造の象徴部を識別することと、前記データセットを輪郭テンプレートに重ね合わせることと、前記輪郭テンプレートを囲む前記データセットの検索領域を分析して生体構造の所定の特徴に伴う境界点を識別することとを含む医療診断画像データセットに基づいて生体構造を検出するための方法。
【請求項２】
さらに前記輪郭テンプレートと前記境界点に基づく一連の画像に対する輪郭を定義することと、前記輪郭を隣接する画像と比較することとを含む請求項１に記載の方法。
【請求項３】
生体構造の前記所定の特徴は、心臓の室の内縁又は心臓の室の壁であることを特徴とする請求項１に記載の方法。
【請求項４】
さらに、前記輪郭テンプレートに直交する一連のパスを定義することと、前記パスに沿って候補の境界点を探すことと、
明度、診断画像における隣接する境界点の間の円滑な空間的境界、および他の診断画像における対応する境界点の間の円滑な一時的境界のうちのいずれか１つに基づいて前記検索領域内の候補境界点をスコアリングすることと、
さらに境界の円滑性に基づいて前記検索領域における候補の境界点を通るパスを選択することを含む請求項１に記載の方法。
【請求項５】
前記輪郭テンプレートは生体構造の外形を推測したものであり、
前記取得する方法が、対象となる生体の超音波、ＣＴ、ＰＥＴ、ＳＰＥＣＴ、ガンマカメラ、Ｘ線、およびＭＲによる走査のうち少なくとも一つを行うことを含む請求項１に記載の方法。
【請求項６】
前記取得する方法が、前に取得したデータセットをロードすることを含み、
前記生体構造が前記心内膜を構成し、前記生体構造の象徴部が心室の先端、心房および心室を分離する面、および心臓弁のうちの少なくとも一方を構成する請求項１の方法。
【請求項７】
超音波信号を対象となる領域に伝達する送信機と、伝達した超音波信号からエコー信号を受信するための受信機と、前記エコー信号を備えた、少なくとも１心拍周期を含む一連の画像フレームを保存するためのメモリと、前記一連の画像フレームを処理して先端と、ＡＶ面の第１と第２の端部の少なくとも一方を識別するするとともに、前記先端を前記第１と第２の端部を結んだ輪郭テンプレートを前記一連の画像フレーム上に重ね、さらに前記輪郭テンプレートに沿った点を識別し比較して心内膜の所定の特徴に基づいて境界点を識別する信号処理部と、前記信号処理部の出力に基づいて情報を出力するための出力部とを備えた心内膜を識別する装置。
【請求項８】
さらに前記信号処理部は前記輪郭テンプレートを横切るパスを定義し、前記パスは前記点と交差し、前記信号処理部は前記パスそれぞれに沿って少なくとも二つの候補点を定義し、前記少なくとも二つの候補点を前記所定の特徴において互いに比較することを特徴とする請求項７に記載の装置。
【請求項９】
さらに前記先端と、前記ＡＶ面の第１と第２の端部の少なくとも一方を調整するためのユーザ入力部を備えた請求項７に記載の装置。
【請求項１０】
さらに、前記信号処理部は、前記一連の画像フレームのうち隣接する画像フレームにおける前記境界点を比較し、さらに前記信号処理部は、少なくとも１つの隣接する画像フレームにおける少なくとも一つの境界点に基づいて第１の隣接する画像フレーム内で少なくとも１つの境界点を移動させることを含む請求項７に記載の装置。
【手続補正２】
【補正対象書類名】明細書
【補正対象項目名】０００３
【補正方法】変更
【補正の内容】
【０００３】
例えば、左室機能の重要な測定値は、左室の拡張末期（ＥＤ）容積から収縮末期（ＥＳ）容積を引いた値をＥＤ容積で割った値として定義される駆出率（ＥＦ）である。今日、この測定値は１つまたは２つの面にＥＤとＥＳの心内膜を手動で描くことによって推測されることが多い。これは、時間のかかる作業であるとともにモデルは、心室が直径に沿って対称であると仮定した上でのものである。また、多くの患者における画質の悪さから、容量を自動的に突き止めるのは困難である。
【特許文献１】米国特許出願公開第２００２／００７２６７１号
【手続補正書】
【提出日】平成20年4月2日(2008.4.2)
【手続補正１】
【補正対象書類名】明細書
【補正対象項目名】０００７
【補正方法】変更
【補正の内容】
【０００７】
そのようなシステムにおいては非常に敏感なフラットパネルＸ線検出器がしばしば利用されるので、それらのパネル読み出し相互接続システムに加えられる中レベルの衝撃や振動が画像アーチファクトを発生させ得る。更に、Ｘ線源を必要な角度まで移動するのに使用されるサーボモータは敏感なＸ線検出器に認知し得る如何なる磁場も誘発してはならず、そうでなければ更なるアーチファクトが生じ得る。
【特許文献１】米国特許第６９１４９５９号
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
生体に含まれる特定成分の濃度を測定するための装置であって、
爪上皮から遠位指節間関節の間であって爪甲側の皮膚における測定部位を決定する測定部位決定手段と、
前記測定部位と接触する接触面を備え、前記接触面から前記測定部位に光を照射し、前記測定部位から前記接触面に出射した光を検出するための情報検出用素子と、
前記測定部位に接触させた前記情報検出用素子に光を入射させるための光源と、
前記測定部位に接触させた前記情報検出用素子から出射する光を検出するための光検出手段と、
前記光検出手段から得られた情報に基づき前記特定成分を測定する処理手段と、を含む生体情報測定装置。
【請求項２】
前記情報検出用素子を前記測定部位に当接させる当接手段を含む請求項１記載の生体情報測定装置。
【請求項３】
前記測定部位決定手段が、爪に照射した光の信号情報と、皮膚に照射した光の信号情報の違いに基づいて前記測定部位を決定する請求項１記載の生体情報測定装置。
【請求項４】
前記測定部位決定手段が所定の位置を確認し得る視覚確認手段を具備する請求項１記載の生体情報測定装置。
【請求項５】
前記測定部位決定手段が皮膚構造上存在する段差を検知することによって前記測定部位を決定する請求項１記載の生体情報測定装置。
【手続補正２】
【補正対象書類名】明細書
【補正対象項目名】発明の名称
【補正方法】変更
【補正の内容】
【発明の名称】生体情報測定装置
【手続補正３】
【補正対象書類名】明細書
【補正対象項目名】０００１
【補正方法】変更
【補正の内容】
【０００１】
本発明は、生体組織に含まれるグルコース、コレステロール、尿素または中性脂肪などの、生体情報である特定成分を、透過光、反射光、散乱光または透過反射光により非侵襲的に測定する生体情報測定装置に関する。
【手続補正４】
【補正対象書類名】明細書
【補正対象項目名】００１２
【補正方法】変更
【補正の内容】
【００１２】
そこで、本発明は、上述のような従来からの問題を解消することを目的とし、より具体的には、本発明は、生体情報の測定に適する安定した測定部位を的確に決定し、生体情報の測定に適する安定した測定部位において、生体情報としての特定成分の濃度をバラツキなく測定することができる生体情報測定装置を提供することを目的とする。
【手続補正５】
【補正対象書類名】明細書
【補正対象項目名】００１３
【補正方法】変更
【補正の内容】
【００１３】
上記の課題を解決すべく、本発明は、
生体に含まれる特定成分の濃度を測定するための装置であって、
爪上皮から遠位指節間関節の間であって爪甲側の皮膚における測定部位を決定する測定部位決定手段と、
前記測定部位と接触する接触面を備え、前記接触面から前記測定部位に光を照射し、前記測定部位から前記接触面に出射した光を検出するための情報検出用素子と、
前記測定部位に接触させた前記情報検出用素子に光を入射させるための光源と、
前記測定部位に接触させた前記情報検出用素子から出射する光を検出するための光検出手段と、
前記光検出手段から得られた情報に基づき前記特定成分を測定する処理手段と、を含む生体情報測定装置を提供する。
【手続補正６】
【補正対象書類名】明細書
【補正対象項目名】００１８
【補正方法】変更
【補正の内容】
【００１８】
本発明に係る生体情報測定装置によれば、上記のように爪上皮から遠位指節間関節の間において測定部位を的確に決定するため、生体情報の測定に適する安定した測定部位において、生体情報としての特定成分の濃度をバラツキなく測定することができる。
【手続補正７】
【補正対象書類名】明細書
【補正対象項目名】００６０
【補正方法】変更
【補正の内容】
【００６０】
以上のように、本発明の生体情報測定装置によれば、爪上皮から遠位指節間関節の間において測定部位を的確に決定するため、生体情報の測定に適する安定した測定部位において、生体情報としての特定成分の濃度をバラツキなく測定することができる。このような本発明の生体情報測定装置は、特に医療分野における血液成分の測定に有用である。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
ゲームテーブル上に設置され、カード収容部から１枚ずつ引き出されるカードをゲームテーブル上に向けて案内するカードガイド部と、
前記カードガイド部に設けられ、カードの数を表す紫外線反応コードをカードから読み取るブラックライト型センサと、
を含むカード読取装置において、
前記カードガイド部がカードガイド面を有し、カードガイド面の縁部にカードガイドレールが設けられており、前記ブラックライト型センサが前記カードガイド面からカードを読み取るように設けられており、
さらに、前記カード読取装置は、
前記カードガイド部の案内方向に沿って配列され、カードの有無を検知する第１および第２のカード検知センサと、
前記第１および第２のカード検知センサの検出信号に基づいて、カードが前記カードガイド部に沿って正常に通過したか否かを判定する計測有効無効判定手段と、を備える、カード読取装置。
【請求項２】
前記計測有効無効判定手段は、前記第１のカード検知センサおよび前記第２のカード検知センサが順番にカードを検知し、次に、前記第１のカード検知センサおよび前記第２のカード検知センサが順番にカードを検知しなくなったとき、カードの読取を有効にする、請求項１に記載のカード読取装置。
【請求項３】
前記計測有効無効判定手段は、前記第１のカード検知センサおよび第２のカード検知センサの順番でカードを検知し、次に、前記第２のカード検知センサおよび前記第１のカード検知センサが順番にカードを検知しなくなったとき、カードの読取を無効にする、請求項１または２に記載のカード読取装置。
【請求項４】
前記ブラックライト型センサは、所定数のコード要素が前記紫外線反応コードとしてカード引出方向に配列されたカードの前記コード要素を検出して検出信号を出力するように構成されており、
前記ブラックライト型センサの検出信号に基づき、前記紫外線反応コードと関連づけられたカードの数を特定する数特定手段が設けられている、請求項１〜３のいずれかに記載のカード読取装置。
【請求項５】
前記ブラックライト型センサにより順次読み取られるカードの数に基づいてカードゲームの勝敗を判定する勝敗判定手段と、
前記勝敗判定手段により判定された勝敗結果を出力する出力手段と、
を備える、請求項１〜４のいずれかに記載のカード読取装置。
【請求項６】
前記ブラックライト型センサを覆うセンサーカバーが、前記ガイドレールの上部に着脱可能に配置された、請求項１〜５のいずれかに記載のカード読取装置。
【請求項７】
ゲームテーブル上に設置され、カードの数を読み取るカード読取機能を有するカードシュータ装置であって、
カード収容部から１枚ずつ引き出されるカードをゲームテーブル上に向けて案内するカードガイド部と、
前記カードガイド部に設けられ、カードの数を表す紫外線反応コードをカードから読み取るブラックライト型センサと、
を含み、
前記カードガイド部がカードガイド面を有し、カードガイド面の縁部にカードガイドレールが設けられており、前記ブラックライト型センサが前記カードガイド面からカードを読み取るように設けられており、
さらに、前記カードシュータ装置は、
前記カードガイド部の案内方向に沿って配列され、カードの有無を検知する第１および第２のカード検知センサと、
前記第１および第２のカード検知センサの検出信号に基づいて、カードが前記カードガイド部に沿って正常に通過したか否かを判定する計測有効無効判定手段と、を備える、カードシュータ装置。
【請求項８】
前記計測有効無効判定手段は、前記第１のカード検知センサおよび前記第２のカード検知センサが順番にカードを検知し、次に、前記第１のカード検知センサおよび前記第２のカード検知センサが順番にカードを検知しなくなったとき、カードの読取を有効にする、請求項７に記載のカードシュータ装置。
【請求項９】
前記計測有効無効判定手段は、前記第１のカード検知センサおよび第２のカード検知センサの順番でカードを検知し、次に、前記第２のカード検知センサおよび前記第１のカード検知センサが順番にカードを検知しなくなったとき、カードの読取を無効にする、請求項７または８に記載のカードシュータ装置。
【請求項１０】
前記ブラックライト型センサは、所定数のコード要素が前記紫外線反応コードとしてカード引出方向に配列されたカードの前記コード要素を検出して検出信号を出力するように構成されており、
前記ブラックライト型センサの検出信号に基づき、コード要素と関連づけられたカードの数を特定する数特定手段が設けられている、請求項７〜９のいずれかに記載のカードシュータ装置。
【請求項１１】
前記ブラックライト型センサにより順次読み取られるカードの数に基づいてカードゲームの勝敗を判定する勝敗判定手段と、
前記勝敗判定手段により判定された勝敗結果を出力する出力手段と、
を備える、請求項７〜１０のいずれかに記載のカードシュータ装置。
【請求項１２】
各ゲームで１枚目に引き出されるカードを無効にする１枚目カード無効モードを設定する無効モード設定手段を備える、請求項１１に記載のカードシュータ装置。
【請求項１３】
前記ブラックライト型センサを覆うセンサーカバーが、前記ガイドレールの上部に着脱可能に配置された、請求項７〜１２のいずれかに記載のカードシュータ装置。
【手続補正書】
【提出日】平成20年6月4日(2008.6.4)
【手続補正１】
【補正対象書類名】明細書
【補正対象項目名】発明の名称
【補正方法】変更
【補正の内容】
【発明の名称】撮像装置及び撮像方法、並びに記録媒体及びプログラム
【手続補正２】
【補正対象書類名】明細書
【補正対象項目名】特許請求の範囲
【補正方法】変更
【補正の内容】
【特許請求の範囲】
【請求項１】  被写体に放射線を照射する放射線発生手段と、前記被写体の放射線像を撮像する撮像手段と、前記放射線発生手段及び前記撮像手段の駆動を制御する制御手段とを含み、前記制御手段は、前記放射線発生手段に放射線曝射要求信号を発生する前に、前記撮像手段の撮影準備駆動を開始することを特徴とする撮像装置。
【請求項２】撮影対象を切り替えることができる操作者インターフェース手段を更に含み、前記放射線発生手段に放射線曝射要求信号を発生する前に前記撮像手段の撮影準備駆動を開始する撮像手順と、前記撮像手順と異なる他の撮像手順とを、前記操作者インターフェース手段からの撮影対象選択の指示によって自動的に切り替えることを特徴とする請求項１に記載の撮像装置。
【請求項３】前記撮影準備駆動を開始するタイミングは、前記放射線発生手段の放射線曝射準備開始時であることを特徴とする請求項１又は２に記載の撮像装置。
【請求項４】特定の音声を判定する音声認識手段を更に含み、前記音声認識手段の指示により、前記撮像手段の前記撮影準備駆動が開始されることを特徴とする請求項１〜３のいずれか１項に記載の撮像装置。
【請求項５】放射線発生手段により被写体に放射線を照射し、撮像手段により前記被写体の放射線像を撮像する撮像方法であって、前記放射線発生手段に放射線曝射要求信号を発生する前に、前記撮像手段の撮影準備駆動を開始することを特徴とする撮像方法。
【請求項６】前記放射線発生手段に放射線曝射要求信号を発生する前に前記撮像手段の撮影準備駆動を開始する撮像手順と、前記撮像手順と異なる他の撮像手順とを、操作者インターフェースによる撮影対象選択の指示によって自動的に切り替えることを特徴とする請求項５に記載の撮像方法。
【請求項７】前記撮影準備駆動を開始するタイミングは、前記放射線発生手段の放射線曝射準備開始時であることを特徴とする請求項５又は６に記載の撮像方法。
【請求項８】特定の音声を判定する音声認識手段の指示により、前記撮影準備駆動を開始することを特徴とする請求項５〜７のいずれか１項に記載の撮像方法。
【請求項９】コンピュータを、請求項１〜４のいずれか１項に記載の撮像装置の前記各手段として機能させるためのプログラムを記録したことを特徴とするコンピュータ読み取り可能な記録媒体。
【請求項１０】請求項５〜８のいずれか１項に記載の撮像方法の前記各ステップをコンピュータに実行させるためのプログラムを記録したことを特徴とするコンピュータ読み取り可能な記録媒体。
【請求項１１】コンピュータを、請求項１〜４のいずれか１項に記載の撮像装置の前記各手段として機能させるためのプログラム。
【請求項１２】請求項５〜８のいずれか１項に記載の撮像方法の前記各ステップをコンピュータに実行させるためのプログラム。
【手続補正３】
【補正対象書類名】明細書
【補正対象項目名】００２０
【補正方法】変更
【補正の内容】
【００２０】
本発明の撮像方法は、放射線発生手段により被写体に放射線を照射し、撮像手段により前記被写体の放射線像を撮像する撮像方法であって、前記放射線発生手段に放射線曝射要求信号を発生する前に、前記撮像手段の撮影準備駆動を開始することを特徴とする。
【手続補正４】
【補正対象書類名】明細書
【補正対象項目名】００２１
【補正方法】変更
【補正の内容】
【００２１】
本発明の撮像方法の一態様では、前記放射線発生手段に放射線曝射要求信号を発生する前に前記撮像手段の撮影準備駆動を開始する撮像手順と、前記撮像手順と異なる他の撮像手順とを、操作者インターフェースによる撮影対象選択の指示によって自動的に切り替える。
【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】
略円錐の外形形状を備えたカプセル本体と、
前記略円錐の外形形状の面積が広い側に設けられた観察光学系と、
前記観察光学系の周囲に設けられた複数の照明レンズと、
を備えたことを特徴とする消化管検査装置。
【請求項２】
体腔内に挿入される紐状部材と、
前記略円錐の外形形状の面積が狭い側に設けられ、前記カプセル本体と前記紐状部材とを連結する連結部と、
を備えたことを特徴とする請求項１記載の消化管検査装置。
【請求項３】
前記連結部は、スナップフィットを備えることを特徴とする請求項２記載の消化管検査装置。
【請求項４】
前記連結部は、前記紐状部材と前記カプセル本体とを電気的に接続する電気接点部を備えたことを特徴とする請求項２又は３に記載の消化管検査装置。
【手続補正２】
【補正対象書類名】明細書
【補正対象項目名】００１１
【補正方法】変更
【補正の内容】
【００１１】
【課題を解決するための手段】
本発明の消化管検査装置は、略円錐の外形形状を備えたカプセル本体と、前記略円錐の外形形状の面積が広い側に設けられた観察光学系と、前記観察光学系の周囲に設けられた複数の照明レンズと、を備えたことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】
被検体の所望の領域に第１のＲＦパルスを照射して撮影する撮影シーケンスと、前記被検体の他の領域に第２のＲＦパルスを照射してプリサチュレーションするプリサチュレーションシーケンスと、を有してなるパルスシーケンスに基づいて、前記所望の領域の撮影を制御する制御手段を有する磁気共鳴撮影装置であって、
前記第２のＲＦパルスは、複数の基本周波数を有して成ることを特徴とする磁気共鳴撮影装置。
【請求項２】
請求項１記載の磁気共鳴撮影装置において、
前記第２のＲＦパルスは、前記基本周波数毎の高調波をそれぞれ振幅変調した励起パルスを合成して成る合成パルスであることを特徴とする磁気共鳴撮影装置。
【請求項３】
請求項１又は２に記載の磁気共鳴撮影装置において、
前記第２のＲＦパルスが有する複数の励起パルスは、それぞれ位相が異なることを特徴とする磁気共鳴撮影装置。
【請求項４】
請求項２又は３に記載の磁気共鳴撮影装置において、
前記第２のＲＦパルスが有する複数の励起パルスは、それぞれ異なる領域を励起する周波数に設定されていることを特徴とする磁気共鳴撮影装置。
【請求項５】
請求項４に記載の磁気共鳴撮影装置において、
前記第２のＲＦパルスが有する複数の励起パルスは、前記所望の領域の両側の領域を励起する周波数に設定されていることを特徴とする磁気共鳴撮影装置。
【請求項６】
請求項４又は５に記載の磁気共鳴撮影装置において、
前記第２のＲＦパルスが有する複数の励起パルスの各々は、励起幅が互いに異なるように振幅変調されていることを特徴とする磁気共鳴撮影装置。
【請求項７】
請求項４又は５に記載の磁気共鳴撮影装置において、
前記第２のＲＦパルスが有する複数の励起パルスの各々は、励起幅が互いに同一となるように振幅変調されていることを特徴とする磁気共鳴撮影装置。
【請求項８】
請求項１乃至７のいずれか一項に記載の磁気共鳴撮影装置において、
前記プリサチュレーションシーケンスは、前記第２のＲＦパルスを複数回印加することを特徴とする磁気共鳴撮影装置。
【手続補正２】
【補正対象書類名】明細書
【補正対象項目名】０００７
【補正方法】変更
【補正の内容】
【０００７】
【課題を解決するための手段】
本発明は、撮影シーケンスの実行前に、少なくとも2つの基本周波数成分を有するプリサチュレーションパルス用ＲＦパルスを印加することにより、上記課題を解決する。
【手続補正３】
【補正対象書類名】明細書
【補正対象項目名】０００８
【補正方法】変更
【補正の内容】
【０００８】
例えば、常撮影時のスライス傾斜磁場と同じ傾斜磁場を印加しながら、撮影スライス励起用ＲＦパルスの基本周波数ｆ０よりも低い周波数ｆ１と高い周波数ｆ２の少なくとも２つの基本周波数成分を有するプリサチュレーション用のＲＦパルスを照射すると、スライス傾斜磁場の強度と周波数ｆ１、ｆ２との関係できまる２箇所の部位Ｘ１、Ｘ２が励起される。これらの部位Ｘ１、Ｘ２は、通常撮影時のスライス部位Ｘ０を挟んだ両側になる。そして、励起された部位Ｘ１、Ｘ２の核スピンの位相は、続いて印加される傾斜磁場によってランダムになり、複数の核スピンを合成してなる磁気共鳴信号は十分に小さな信号になる。つまり、１回のプリサチュレーション処理により、複数部位の磁気共鳴信号を抑制することができ、例えば、撮影領域の両側から流入する血流により生ずるアーチファクトを抑制することができる。また、スライス枚数の低減や撮影時間の延長などの問題を回避できる。
【手続補正４】
【補正対象書類名】明細書
【補正対象項目名】０００９
【補正方法】変更
【補正の内容】
【０００９】
本発明の磁気共鳴撮影装置は、撮影シーケンスの実行前に、プリサチュレーション用ＲＦパルスを被検体に印加し、前記プリサチュレーション用ＲＦパルスは、少なくとも２つの基本周波数成分を有するものとすることにより、実現できる。
【手続補正書】
【提出日】平成20年3月26日(2008.3.26)
【手続補正１】
【補正対象書類名】明細書
【補正対象項目名】００１８
【補正方法】変更
【補正の内容】
【００１８】
刈取装置４は、公知のチョッパ形刈取装置で、特に図３に示すように両端が軸支された水平軸１４に複数の刃１５をピン１５ａにより回動可能に取り付けている。刃１５はその回転軌跡が幅方向に若干の重なりを持つように配置され、これにより刈り残しが防止される。また刃１５は水平軸１４の回転による遠心力で放射状に径方向外側に飛び出すと共に、石等に当たったときは逃げるようになっている。これら水平軸１４及び刃１５はカバー１６で覆われ、下方の開放部１７から圃場に植生した作物を取り入れる。カバー１６内の前部には全幅方向に亘り受刃１８が設けられる。
【手続補正２】
【補正対象書類名】明細書
【補正対象項目名】００２６
【補正方法】変更
【補正の内容】
【００２６】
圧縮梱包装置５は、公知のロールベーラと同様の装置であり、多数のローラ３６が環状に配置され、ローラ３６の内側に圧縮室１９が形成される。そして圧縮室１９に投入された作物を回転させながら円柱状に圧縮成形し、外周に紐、ネット又はプラスチックフィルム等の巻回部材を巻き付けてベール状に梱包するものである。圧縮梱包装置５の後部はシリンダ２７によって開閉駆動されるゲート１９ａとなっており、このゲート１９ａを開くことによってベールＢを取り出し、図示しないベール受け装置に移送することができる。
【手続補正３】
【補正対象書類名】明細書
【補正対象項目名】００３４
【補正方法】変更
【補正の内容】
【００３４】
出力プーリ３９と第五プーリ６１との間にはクラッチプーリ５５が設けられ、これがベルト４９に対し接離することで動力伝達の有無が切り換えられる。第五プーリ６１と第六プーリ５１とはそれぞれギヤボックス５０の入出力部をなすものである。第七プーリ５３は入力軸５４の左端に固定され、入力軸５４は機体全幅方向に延出されて圧縮梱包装置５の入力軸をなす。圧縮梱包装置５の駆動系統は図示省略するが、公知のトラクタ牽引用ロールベーラ同様、入力軸５４の動力をその右端からスプロケット・チェーン機構を介して各ローラ３６に伝達する。
【手続補正４】
【補正対象書類名】明細書
【補正対象項目名】００４４
【補正方法】変更
【補正の内容】
【００４４】
この後、オペレータが運転席１３のレバー（図示せず）を操作し、シリンダ２７を収縮させてゲート１９ａを後上方に展開する。すると圧縮室１９のロールベールＢが圃場に排出される。なお排出は圃場の乾いた場所にて行う。この後再度レバー（図示せず）を操作し、シリンダ２７を伸長させてゲート１９ａを閉じる。こうして再度走行を開始し、収穫作業を再開する。
【手続補正５】
【補正対象書類名】図面
【補正対象項目名】図１
【補正方法】変更
【補正の内容】
【図１】
2002360056.tif 000001
【手続補正６】
【補正対象書類名】図面
【補正対象項目名】図３
【補正方法】変更
【補正の内容】
【図３】
2002360056.tif 000002
【手続補正書】
【提出日】平成20年5月7日(2008.5.7)
【手続補正１】
【補正対象書類名】明細書
【補正対象項目名】特許請求の範囲
【補正方法】変更
【補正の内容】
【特許請求の範囲】
【請求項１】  縫製枠を載置するテーブルの端部に作業者の進入可能な凹部を備えるミシンの制御方法であって、
糸切れを検出して前記縫製枠の駆動を停止しようとするときに、前記縫製枠が前記凹部の上側に位置している場合は、前記縫製枠を前記凹部の上側から退避させる段階を含むミシンの制御方法。
【請求項２】  前記ミシンは複数のミシンヘッドを備えた多頭式ミシンであり、前記退避させる段階の前に糸切れしていないミシンヘッドで糸切りする段階を含む請求項１記載のミシンの制御方法。
【請求項３】  前記退避させる段階を経て縫製加工が停止されている状態から該縫製加工を再スタートさせるときは、該再スタートさせる前に前記縫製枠を前記退避させる前の位置に戻す段階を含む請求項１又は２記載のミシンの制御方法。